(57)【要約】【課題】  長期間使用してもキャスターが破損することがない、床面上を移動自在なフィッティングルームを提供すること。【解決手段】  台部材２と、この台部材２の周囲の少なくとも一部に開口部が形成されるように台部材２に下部を固着して立設されたパネル７と、開口部を開閉可能な開閉部材とを備えるフィッティングルーム１において、台部材２の下面には、台部材２の下端及びパネル７の下端より下方に突出して床面Ｆに接地可能なキャスター１３及び接地部材１４が設けられ、この接地部材１４の下端を、キャスター１３の下端より上方となる非接地位置と、キャスター１３の下端より下方となる接地位置とに切り換え操作するための操作部３３が、台部材２の上面側に設けられている。【選択図】  図５
2006104768.tif 000002
【特許請求の範囲】
【請求項１】
台部材と、該台部材の周囲の少なくとも一部に開口部が形成されるように該台部材に下部を固着して立設されたパネルと、前記開口部を開閉可能な開閉部材とを備えるフィッティングルームにおいて、
前記台部材の下面には、前記台部材の下端及び前記パネルの下端より下方に突出して床面に接地可能なキャスター及び接地部材が設けられ、該接地部材の下端を、前記キャスターの下端より上方となる非接地位置と、前記キャスターの下端より下方となる接地位置とに切り換え操作するための操作部が、前記台部材の上面側に設けられていることを特徴とするフィッティングルーム。
【請求項２】
前記開口部の近傍に、該開口部の両側に配置されるパネルの上端部間を連結する連結部材が設けられている請求項１に記載のフィッティングルーム。
【請求項３】
前記開閉部材は、少なくとも一部が前記開口部よりも外側に向けて膨出するように前記開口部の上部に配設された平面視略円弧状のレールに沿って移動可能に吊支された平面視略円弧状のドアパネルで構成されている請求項１または２に記載のフィッティングルーム。
【請求項４】
前記パネルの外面の少なくとも一部に、商品支持用の支持具を係止させることができる係止部が設けられている請求項１ないし３のいずれかに記載のフィッティングルーム。
【発明の詳細な説明】
【技術分野】
【０００１】
本発明は、衣服販売店舗等において客が商品を試着するときに使用するフィッティングルームに関する。
【背景技術】
【０００２】
従来、この種のフィッティングルームとしては、例えば特許文献１に示すように、更衣室の周囲を覆う隔壁主材に、開口部を開閉するためのカーテンを吊支するカーテンレールが内設された支持枠材と床面材とを上下部それぞれに折畳み可能に連設して、更衣室を組立自在とするとともに、この床面材の下面に移動用の脚輪を取り付け、更衣室を組立てた状態で移動可能としたものがある。
【０００３】
【特許文献１】実開昭５３−１１８０５号公報（第１頁、第１図）
【発明の開示】
【発明が解決しようとする課題】
【０００４】
しかしながら、特許文献１にあっては、更衣室（フィッティングルーム）を設置して使用するときにおいて、床面材（台部材）の下面に設けられた脚輪（キャスター）が常に床面に接地されているため、更衣室の自重及び更衣室を使用する使用者の体重によって加わる荷重を支えなければならず、長期間の使用により脚輪が破損する畏れがあった。また、通常使用時においても更衣室全体を脚輪にて支持するため、安定性が悪いとともに、床面材上に使用者が乗ったときに不用意に移動しないようなロック機構等を設ける必要があった。
【０００５】
本発明は、このような問題点に着目してなされたもので、長期間使用してもキャスターが破損することがない、床面上を移動自在なフィッティングルームを提供することを目的とする。
【課題を解決するための手段】
【０００６】
前記課題を解決するために、本発明の請求項１に記載のフィッティングルームは、台部材と、該台部材の周囲の少なくとも一部に開口部が形成されるように該台部材に下部を固着して立設されたパネルと、前記開口部を開閉可能な開閉部材とを備えるフィッティングルームにおいて、前記台部材の下面には、前記台部材の下端及び前記パネルの下端より下方に突出して床面に接地可能なキャスター及び接地部材が設けられ、該接地部材の下端を、前記キャスターの下端より上方となる非接地位置と、前記キャスターの下端より下方となる接地位置とに切り換え操作するための操作部が、前記台部材の上面側に設けられていることを特徴としている。
この特徴によれば、フィッティングルームの設置位置を変更するときには、接地部材の下端を非接地位置にすることでキャスターが床面に接地されるため、容易に移動させることができ、また、フィッティングルームを設置位置に設置するときには、接地部材の下端を接地位置にすることでキャスターが床面から離れ、フィッティングルームの自重及びフィッティングルームを使用する使用者の体重によって加わる荷重を接地部材が支えることとなるため、フィッティングルームを長期間使用してもキャスターが破損する畏れがないばかりか、使用中における不用意な移動が防止されるため、安定性が向上する。また、接地部材の切り換え操作を台部材の上面側から行うことができるため、例えばフィッティングルームの開口部を除く周囲が壁や他のフィッティングルームにより囲まれている状況であっても、フィッティングルームの設置や移動作業を確実に行うことができる。
【０００７】
本発明の請求項２に記載のフィッティングルームは、請求項１に記載のフィッティングルームであって、前記開口部の近傍に、該開口部の両側に配置されるパネルの上端部間を連結する連結部材が設けられていることを特徴としている。
この特徴によれば、フィッティングルームにおける特に開口部近傍の強度を高めることができるため、フィッティングルームを移動させたときにパネルに歪みが生じることがない。
【０００８】
本発明の請求項３に記載のフィッティングルームは、請求項１または２に記載のフィッティングルームであって、前記開閉部材は、少なくとも一部が前記開口部よりも外側に向けて膨出するように前記開口部の上部に配設された平面視略円弧状のレールに沿って移動可能に吊支された平面視略円弧状のドアパネルで構成されていることを特徴としている。
この特徴によれば、ドアパネルの閉鎖時において、ドアパネルの一部が開口部よりも外側に向けて膨出するため、フィッティングルームの室内空間を極力広くすることができる。また、閉鎖されたドアパネルの外部からの識別性が高まるため、フィッティングルームの使用、未使用状態をドアパネルの開閉状態により外部から容易に識別することができる。
【０００９】
本発明の請求項４に記載のフィッティングルームは、請求項１ないし３のいずれかに記載のフィッティングルームであって、前記パネルの外面の少なくとも一部に、商品支持用の支持具を係止させることができる係止部が設けられていることを特徴としている。
この特徴によれば、係止部に係止された支持具に商品等を支持させることができるようになり、フィッティングルームの外面を商品の展示スペースとして利用することができる。
【発明を実施するための最良の形態】
【００１０】
本発明の実施例を以下に説明する。
【実施例】
【００１１】
本発明の実施例を図面に基づいて説明すると、先ず図１は、実施例におけるフィッティングルームの全体像を示す斜視図であり、図２は、フィッティングルームを示す平面図であり、図３は、フィッティングルームを示す正面図であり、図４は、図３におけるＡ−Ａ縦断側面図であり、図５（ａ）は、支持脚が接地位置にある状態を示す縦断側面図であり、図５（ｂ）は、支持脚が非接地位置にある状態を示す縦断側面図であり、図６は、ドアの吊支構造を示す縦断側面図である。
【００１２】
図１の符号１は、衣服販売店等に設置され、客が商品を試着するときに使用するフィッティングルームであり、このフィッティングルーム１には、床面Ｆに設置される四角形状の台部材２が設けられている。図２に示すように、台部材２の四方周囲には、使用者がフィッティングルーム１内に出入りするための開口部８がフィッティングルーム１の正面側に形成されるように、複数の板状をなすパネル３、４、５、６、７が立設されている。これらのパネル３、４、５、６、７は、それらの内面における下端から若干上方位置に台部材２の側端面を当接させた状態で該台部材２に固着されており、床面Ｆの上方に配置される台部材２の下方周囲がパネル３、４、５、６、７の下部により覆われるようになっている。
【００１３】
図２中において下方側をフィッティングルーム１の正面側として説明すると、フィッティングルーム１における背面側（開口部８の反対側）に配置されるパネル７の内面側には鏡９が取り付けられており、フィッティングルーム１内の使用者が自分の姿を映して商品を試着することができるようになっている。
【００１４】
また、左右に配置されているパネル３、６の上部には、パネル３、６の上部内面側同士を連結する金属製の角柱状の連結部材１０が設けられているとともに、四方に配置されているパネル３、４、５、６、７の上部端部同士は、板状のコーナー部材１１によって連結されており、連結部材１０とコーナー部材１１によって、フィッティングルーム１全体の強度が高められるようになっている。
【００１５】
尚、連結部材１０の両端部は左右のパネル３、６の内面側に固着されるとともに、コーナー部材１１はパネル３、４、５、６、７の上部端部同士を連結させているため、連結部材１０とコーナー部材１１はフィッティングルーム１の周囲から見え難くなっている。
【００１６】
図３及び図４に示すように、台部材２の上面にはカーペット１２が敷かれており、台部材２の下面四隅には、４つのキャスター１３及び本実施例における接地部材としての４つの支持脚１４が取り付けられている。これらのキャスター１３及び支持脚１４は、後述するように台部材２の上面側からの操作により、台部材２の下端及びパネル３、４、５、６、７の下端より下方に突出して床面Ｆに接地できるようになっている。
【００１７】
フィッティングルーム１を店舗内の所定の場所に設置して使用するときには、支持脚１４の下端をキャスター１３の下端より下方に突出させることで、フィッティングルーム１の自重及びフィッティングルーム１を使用する使用者の体重によって加わる荷重を支持脚１４により支えることができるようになっている。
【００１８】
図２に示すように、開口部８の上方には、平面視でほぼ半円弧状をなす水平レール１５が、その一部が開口部８及び台部材２の前端辺よりも外側に膨出するように、開口部８の上部から右側部に配置されたパネル６の上部に亘って掛け渡されている。詳しくは、このレール１５は正面側に配置されたパネル４、５の上部に設けられた取付金具１６、１７と、右側に配置されているパネル６の上部に設けられた取付金具１８、１９とによってパネル４、５、６に固定されている。
【００１９】
そして、このレール１５には、開口部８を閉塞できる本実施例における開閉部材としてのドアパネル２０が吊支されている。このドアパネル２０は平面視で円弧状をなす板部材からなり、図６に示すように、ドアパネル２０の上端部には複数の吊支軸２１が設けられている。吊支軸２１の上端にはホイール２２が回動可能に設けられている。
【００２０】
このレール１５は、断面視で逆Ｕ字形状をなしており、レール１５の下面側に内向縁１５ａが形成され、この内向縁１５ａの上面に、ドアパネル２０の上端部に設けられた吊支軸２１のホイール２２が長手方向に沿って移動可能に支持されている。よって、ホイール２２から内向縁１５ａ、１５ａ間に形成された溝を通して垂下された吊支軸２１に吊支されたドアパネル２０はレール１５に沿って円弧状に移動できるようになっている。
【００２１】
また、ドアパネル２０の内面側には、把手２３が設けられており、この把手２３を掴んでドアパネル２０を操作することによって、フィッティングルーム１の開口部８を閉鎖したり開放したりすることができるようになっている。
【００２２】
図１及び図２に示すように、正面側に配置されているパネル４、５の開口部８側の端辺には、長手方向が上下方向を向く隠蔽片２４、２５が取り付けられており、この隠蔽片２４、２５によってドアパネル２０が開口部８を閉鎖したときに、ドアパネル２０とパネル４、５との間に形成される間隙が閉塞されるようになっている。更に図２に示すように、正面側の左方に配置されているパネル４には、ドアパネル２０を閉鎖したときに、ドアパネル２０の端部が当接される当接金具２６が設けられている。
【００２３】
更に図３及び図４に示すように、ドアパネル２０の上下の長さは、開口部８の上下の長さよりも若干短く形成されており、ドアパネル２０が開口部８を閉鎖した状態で開口部８の下部に開口が形成されるようになっている。また、ドアパネル２０は、開口部８を開放する開放位置に位置するように、図示しない付勢手段により前記開放位置に向けて常時付勢されており、開口部８を閉鎖するときには図示しないロック機構を介してロックすることで閉鎖位置に保持されるようになっている。
【００２４】
このように、開口部８の上部に、平面視略円弧状のレール１５が開口部８よりも外側に向けて膨出するように配設されるとともに、該レール１５に沿って移動可能に吊支された平面視略円弧状のドアパネル２０にて開口部８を開閉自在とすることで、ドアパネル２０の閉鎖時においてフィッティングルーム１の室内空間が広がるため、フィッティングルーム１内の使用者が商品の試着がし易くなるばかりか、該開口部８の反対側に配置される背面側のパネル７の内面に設けられた鏡９からできるだけ離れた位置で自分の姿を鏡９に映すことができる。
【００２５】
さらには、ドアパネル２０の閉鎖時においてドアパネル２０が外側に膨出することで、閉鎖されたドアパネル２０の外部からの識別性が高まるため、フィッティングルームの使用、未使用状態をドアパネルの開閉状態により外部から容易に識別することができる。また、ドアパネル２０の閉鎖時において、該ドアパネル２０は台部材２の前端辺よりも外側に位置し、台部材２の前端辺とドアパネル２０の前端部とが離間されている。よって、例えばフィッティングルーム１の使用時においては、室内空間が広くなって使用性が向上するばかりか、使用者の靴等をドアパネル２０の内側に収めることができるため、靴等が通路歩行者の邪魔になることがない。
【００２６】
図２に示すように、左右に配置されるパネル３、６の外面側には、前後一対をなす凹状の係止部３ａ、６ａが形成されており、この係止部３ａ、６ａは、図１に示すように、上下方向に複数段設けられている。この係止部３ａ、６ａには、商品展示用の支持具２７の両端部を係止できるようになっている。支持具２７には、衣料品等の商品２８を吊り下げることができるように複数のハンガーフック２７ａが突設されている。係止部３ａ、６ａに支持具２７を取り付けて、支持具２７のハンガーフック２７ａに衣類等の商品２８を吊り下げることで、フィッティングルーム１の外側面を商品２８等の展示スペースとして利用することができるようになっている。
【００２７】
次に、支持脚１４について詳述すると、図５（ａ）に示すように、支持脚１４は、外周に雄ネジが形成された支持棒２９を有しており、この支持棒２９の上端には、六角レンチ３０を嵌合させることができる六角穴２９ａが形成されている。支持棒２９の下端には、その外周にローレット状溝２９ｂが軸方向に設けられており、支持棒２９の下端は、略円錐形状をなす接地体３１の上部に形成された穴部３１ａ内に、軸周りに回動自在に圧入されている。
【００２８】
一方、台部材２の支持脚１４が取り付けられる位置には、貫通孔２ａが設けられており、この貫通孔２ａには、支持脚１４を台部材２の下面に取り付けるための取付体３２から上方に延設される突出部３２ａが下方から挿設されている。尚、キャスター１３及び取付体３２は、台部材２を構成している板材にネジ（図示略）を用いて固着されている。
【００２９】
そして、取付体３２の略中央部及び取付体３２に形成された突出部３２ａ内には、内周面に雌ネジが形成された操作部としての操作孔３３が貫通されており、該操作孔３３には支持棒２９が下方から螺入されている。この操作孔３３の上端は、通常時において台部材２の上面に敷かれたカーペット１２によって隠蔽されている。
【００３０】
この操作孔３３の上方から六角レンチ３０を挿入して支持棒２９の上端に形成された六角穴２９ａに六角レンチ３０の端部を嵌合させて正逆回転操作することで、支持棒２９及び接地体３１を上下方向に移動させることができるようになっている。すなわち、操作孔３３及び該操作孔３３内に螺入された支持棒２９は、接地部材としての支持脚１４を上下方向に移動（昇降）自在とするための移動機構を構成している。
【００３１】
フィッティングルーム１を設置する際には、図５（ａ）に示すように、台部材２の上面側から操作孔３３内に六角レンチ３０を挿入して、六角レンチ３０の端部を支持脚１４における支持棒２９の上端の六角穴２９ａに嵌合させ、六角レンチ３０を時計周りに回転操作し、支持棒２９及び接地体３１が下方に移動させて、接地体３１の下端を、キャスター１３の下端よりも下方となる接地位置まで移動させる（接地位置に切り換える）。
【００３２】
このように台部材２に設けられている４つの支持脚１４を操作して、接地体３１を接地位置まで下げることで、接地体３１の下端が床面Ｆに接地し、全てのキャスター１３が接地体３１に対して上方に移動して床面Ｆから離れ、４つの支持脚１４がフィッティングルーム１の自重及びフィッティングルーム１を使用する使用者の体重によって加わる荷重の全てを支えることができるようになる。このようにするとキャスター１３に負荷が加わらず、長期間にわたってフィッティングルーム１を使用してもキャスター１３が破損する畏れがなくなる。
【００３３】
尚、若干傾斜された床面にフィッティングルーム１を設置する場合には、４つの支持脚１４を操作して台部材２が水平を保つように高さを調節することもできるようになっている。その際に支持脚１４における支持棒２９のローレット状溝２９ｂが、接地体３１の穴部３１ａに圧入されていることで、支持棒２９が自然回転し難くなっており、これにより台部材２の高さが調節された後に台部材２の高さが変わることが防止されている。
【００３４】
フィッティングルーム１を移動する際には、図５（ｂ）に示すように、台部材２の上面側から操作孔３３内に六角レンチ３０を挿入して、六角レンチ３０の端部を支持脚１４における支持棒２９の上端の六角穴２９ａに嵌合させ、六角レンチ３０を反時計周りに回転操作し、支持棒２９及び接地体３１を上方に移動させて、接地体３１の下端をキャスター１３の下端よりも上方となる非接地位置まで移動させる（接地位置から非接地位置に切り換える）。
【００３５】
台部材２に設けられている４つの支持脚１４を操作して、接地体３１を非接地位置に上昇させることで、全ての支持脚１４が床面Ｆから離れ、４つのキャスター１３によりフィッティングルーム１が支持されることになるため、フィッティングルーム１を自在に移動させることができる。
【００３６】
また前述したように、左右に配置されるパネル３、４が連結部材１０によって連結されるとともに、四方に配置されているパネル３、４、５、６、７の上端部同士がコーナー部材１１によって連結されていることにより、フィッティングルーム１を移動させるときに立設されたパネル３、４、５、６、７が歪むようなことがない。
【００３７】
フィッティングルーム１の設置及び移動作業を行う際に、台部材２の上面側からの操作によって、接地体３１を接地位置と非接地位置とに移動させることができるので、作業者が台部材２の下面に手を入れて作業したりすることなく、フィッティングルーム１を支持脚１４によって支持させたり、キャスター１３によって支持させることができるばかりか、例えばフィッティングルーム１の開口部８を除く周囲が壁や他のフィッティングルームにより囲まれている状況であっても、フィッティングルーム１の設置や移動作業を確実に行うことができる。
【００３８】
また、台部材２の周囲に重量あるパネル３、４、５、６、７が立設され、開口部８を開閉するドアパネル２０が重量のある部材で構成されていても、本実施例のフィッティングルーム１では、フィッティングルーム１を分解したり折畳むようなことをしなくてもフィッティングルーム１の設置作業及び移動作業が行えるようになっている。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、上端に六角穴２９ａが形成されて取付体３２の操作孔３３に螺合された支持棒２９と、この支持棒２９の下端に設けられた接地体３１によって接地部材としての支持脚１４が構成されており、台部材２の上面側から操作孔３３に挿入された六角レンチ３０を六角穴２９ａに嵌合させて支持棒２９を回転操作することで、支持脚１４を接地位置と非接地位置とに移動できるようにしていたが、接地部材は、このようにねじ部を有する支持棒２９の回転により昇降移動自在となる支持脚１４に限定されるものではなく、ねじ、歯車、水圧、油圧などを利用するジャッキ等の押し上げ万力を用いて接地部材を構成してもよいし、電動式の駆動モータや駆動アクチュエータを用いて接地部材を構成してもよく、台部材の上面側からの操作によって、接地部材を接地位置と非接地位置とに移動させることができるものであれば前記実施例と同様な効果を得ることができる。
【００４１】
また、前記実施例では、四角形状の台部材２の周囲に、複数の板状をなすパネル３、４、５、６、７が立設され、フィッティングルーム１が形成されており、左右側部に配置されるパネル３、６の内面における開口部８の近傍に、連結部材１０が取り付けられることでフィッティングルーム１全体の強度が高められていたが、連結部材は、このような複数のパネル同士を連結させることに限定されるものではなく、例えば円形状の台部材の周囲に、開口部が設けられた平面視で略円形状をなす一枚のパネルを立設してフィッティングルームを形成し、この一枚のパネルの内面同士を連結する連結部材を開口部の近傍に設けるようにし、この連結部材によってフィッティングルーム全体の強度を高めるようにしてもよい。
【図面の簡単な説明】
【００４２】
【図１】フィッティングルームの全体像を示す斜視図である。
【図２】フィッティングルームを示す平面図である。
【図３】フィッティングルームを示す正面図である。
【図４】図３におけるＡ−Ａ縦断側面図である。
【図５】（ａ）は、支持脚が接地位置にある状態を示す縦断側面図であり、（ｂ）は、支持脚が非接地位置にある状態を示す縦断側面図である。
【図６】ドアの吊支構造を示す縦断側面図である。
【符号の説明】
【００４３】
１                      フィッティングルーム
２                      台部材
３、４、５、６、７      パネル
３ａ、６ａ              係止部
８                      開口部
１０                    連結部材
１３                    キャスター
１４                    支持脚（接地部材）
１５                    レール
２０                    ドアパネル（開閉部材）
２７                    支持具
２８                    商品
２９                    支持棒
３３                    操作孔（操作部）
【図１】
2006104768.tif 000003
【図２】
2006104768.tif 000004
【図３】
2006104768.tif 000005
【図４】
2006104768.tif 000006
【図５】
2006104768.tif 000007
【図６】
2006104768.tif 000008